Podtech/llm-jp-corpus-v4-ja_patent huggingface dataset:
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
第１測定部と，該第１測定部による測定に必要な作動距離に対して短い作動距離となる第２測定部とを備え，被検眼に対する前記第１測定部の測定光軸と第２測定部の測定光軸とが異なる高さとなるように前記第１及び第２測定部が配置された測定ユニットを有し、前記第１及び第２測定部の測定光軸を被検眼に対して各々位置合わせして被検眼を測定する眼科装置において、
前記第１測定部に対して前記第２測定部の少なくとも一部を作動距離方向に対して移動させるための駆動手段と、
前記第1測定部を用いて行う測定から第２測定部を用いて行う測定に切り換えるための信号に基づいて前記測定ユニットを上下方向に移動させる際に、前記第１測定部に対して前記第２測定部の少なくとも一部を作動距離方向に移動させるように前記駆動手段を制御する制御手段と、
を備えることを特徴とする眼科装置。
【請求項２】
請求項１の眼科装置は、前記測定ユニットの高さ位置情報を取得するための位置情報取得手段と、前記第２測定部の少なくとも一部を作動距離方向に対して移動させるべき高さ条件を記憶する記憶手段とを有し、前記制御手段は前記位置情報取得手段による高さ位置情報の取得結果と前記記憶手段に記憶される高さ条件とに基づいて前記駆動手段を制御することを特徴とする眼科装置。
【請求項３】
請求項１の眼科装置において、第２測定部を用いて被検眼を測定する際、左右眼の切換を行うために前記測定ユニットを左右方向に移動する途中で前記第１測定部に対して前記第２測定部の少なくとも一部を作動距離方向に移動させるために前記駆動手段を制御する制御手段と、を備えることを特徴とする眼科装置。
【請求項４】
被検眼に対して測定ユニットを所定の位置関係にアライメントする眼科装置において、
被検眼に対して前記測定ユニットを移動させる駆動手段と、
被検眼に対する前記測定ユニットのアライメント状態を検出するアライメント検出手段と、
前記駆動手段の駆動を制御する駆動制御手段と、を備え、
前記駆動制御手段は、一方の眼の測定完了後、他方の眼に向けて前記測定ユニットを自動的に移動させる際、前記測定ユニットと被検者の鼻との接触が回避されるように前記測定ユニットを作動距離方向及び左右方向に移動させ、前記アライメント検出手段による前記他方の眼のアライメント状態を得て、前記アライメント検出手段からの検出結果に基づいて前記駆動手段の駆動を制御し、前記他方の眼に対する前記測定ユニットの自動アライメント制御を行うことを特徴とする眼科装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  第１測定部と，該第１測定部による測定に必要な作動距離に対して短い作動距離となる第２測定部とを備え，被検眼に対する前記第１測定部の測定光軸と第２測定部の測定光軸とが異なる高さとなるように前記第１及び第２測定部が配置された測定ユニットを有し、前記第１及び第２測定部の測定光軸を被検眼に対して各々位置合わせして被検眼を測定する眼科装置において、
前記第１測定部に対して前記第２測定部の少なくとも一部を作動距離方向に対して移動させるための駆動手段と、
前記第1測定部を用いて行う測定から第２測定部を用いて行う測定に切り換えるための信号に基づいて前記測定ユニットを上下方向に移動させる際に、前記第１測定部に対して前記第２測定部の少なくとも一部を作動距離方向に移動させるように前記駆動手段を制御する制御手段と、
を備えることを特徴とする。
（２）  （１）の眼科装置は、前記測定ユニットの高さ位置情報を取得するための位置情報取得手段と、前記第２測定部の少なくとも一部を作動距離方向に対して移動させるべき高さ条件を記憶する記憶手段とを有し、前記制御手段は前記位置情報取得手段による高さ位置情報の取得結果と前記記憶手段に記憶される高さ条件とに基づいて前記駆動手段を制御することを特徴とする。
（３）  （１）の眼科装置において、第２測定部を用いて被検眼を測定する際、左右眼の切換を行うために前記測定ユニットを左右方向に移動する途中で前記第１測定部に対して前記第２測定部の少なくとも一部を作動距離方向に移動させるために前記駆動手段を制御する制御手段と、を備えることを特徴とする。
（４）  被検眼に対して測定ユニットを所定の位置関係にアライメントする眼科装置において、
被検眼に対して前記測定ユニットを移動させる駆動手段と、
被検眼に対する前記測定ユニットのアライメント状態を検出するアライメント検出手段と、
前記駆動手段の駆動を制御する駆動制御手段と、を備え、
前記駆動制御手段は、一方の眼の測定完了後、他方の眼に向けて前記測定ユニットを自動的に移動させる際、前記測定ユニットと被検者の鼻との接触が回避されるように前記測定ユニットを作動距離方向及び左右方向に移動させ、前記アライメント検出手段による前記他方の眼のアライメント状態を得て、前記アライメント検出手段からの検出結果に基づいて前記駆動手段の駆動を制御し、前記他方の眼に対する前記測定ユニットの自動アライメント制御を行うことを特徴とする。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
被検眼の第１の眼特性を測定するための光学系を有する第１測定部と，被検眼に対し前記第１測定部の作動距離よりも短い距離から被検眼の第２の眼特性を測定するための光学系を有する第２測定部とが配置され，前後左右に移動可能な測定部本体を有する眼科装置において、
前記第１測定部を用いて被検眼を測定したときの前記測定部本体の前後方向の位置情報を取得する位置情報取得手段と、
該位置情報取得手段にて取得された前記位置情報に基づいて前記測定部本体の被検眼側への移動限界位置情報を取得する移動限界位置情報取得手段と、
該移動限界位置情報取得手段により求めた前記移動限界位置情報に基づいて前記第２測定部を用いて測定を行う際の前記測定部本体の移動を規制する移動規制手段と、
を備えることを特徴とする眼科装置。
【請求項２】
請求項１の眼科装置において、前記移動規制手段は測定部本体が前記移動限界位置に達したことを受けて前記測定部本体をロックし，その移動を不可とする規制を行うことを特徴とする眼科装置。
【請求項３】
請求項２の眼科装置において、前記測定部本体は前後左右方向に摺動可能な本体部と，前記第１及び第２測定部を有する測定ユニットであって前記本体部に積載される測定ユニットと，該測定ユニットを前記本体部に対して少なくとも前後方向に移動させる移動手段と，を有し、
前記移動規制手段は前記測定部本体のロック後，前記移動手段を用いて前記測定ユニットを所定量だけ後進させた後、前記ロックを解除することを特徴とする眼科装置。
【手続補正２】
【補正対象書類名】明細書
【補正対象項目名】０００６
【補正方法】変更
【補正の内容】
【０００６】
（１）  被検眼の第１の眼特性を測定するための光学系を有する第１測定部と，被検眼に対し前記第１測定部の作動距離よりも短い距離から被検眼の第２の眼特性を測定するための光学系を有する第２測定部とが配置され，前後左右に移動可能な測定部本体を有する眼科装置において、
前記第１測定部を用いて被検眼を測定したときの前記測定部本体の前後方向の位置情報を取得する位置情報取得手段と、
該位置情報取得手段にて取得された前記位置情報に基づいて前記測定部本体の被検眼側への移動限界位置情報を取得する移動限界位置情報取得手段と、
該移動限界位置情報取得手段により求めた前記移動限界位置情報に基づいて前記第２測定部を用いて測定を行う際の前記測定部本体の移動を規制する移動規制手段と、
を備えることを特徴とする。
（２）  （１）の眼科装置において、前記移動規制手段は測定部本体が前記移動限界位置に達したことを受けて前記測定部本体をロックし，その移動を不可とする規制を行うことを特徴とする。
（３）  （２）の眼科装置において、前記測定部本体は前後左右方向に摺動可能な本体部と，前記第１及び第２測定部を有する測定ユニットであって前記本体部に積載される測定ユニットと，該測定ユニットを前記本体部に対して少なくとも前後方向に移動させる移動手段と，を有し、
前記移動規制手段は前記測定部本体のロック後，前記移動手段を用いて前記測定ユニットを所定量だけ後進させた後、前記ロックを解除することを特徴とする。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
Ｘ線センサユニットを交換可能に接続するＸ線撮影システムであって、
前記Ｘ線センサユニットに向けてＸ線を照射するＸ線発生部と、
前記Ｘ線センサユニットおよび前記Ｘ線発生部を制御する撮影制御部と、
前記Ｘ線センサユニットからセンサユニット情報を受信するセンサユニット情報受信部と、
前記センサユニット情報受信部によって受信された前記センサユニット情報に基づき前記撮影制御部の制御パラメータを設定する制御パラメータ設定部と、
を備えることを特徴とするＸ線撮影システム。
【請求項２】
Ｘ線センサユニットを交換可能に接続するＸ線撮影システムであって、
前記Ｘ線センサユニットに向けてＸ線を照射するＸ線発生部と、
前記Ｘ線センサユニットおよび前記Ｘ線発生部を制御する撮影制御部と、
前記Ｘ線センサユニット内に配置され、前記Ｘ線センサユニットの機能を制御するためのドライバモジュールを、前記Ｘ線センサユニットから受信するドライバモジュール受信部と、
前記ドライバモジュール受信部によって受信された前記ドライバモジュールを用いて、前記撮影制御部を更新する撮影制御部更新部と、
を備えることを特徴とするＸ線撮影システム。
【請求項３】
Ｘ線センサユニットを交換可能に接続するＸ線撮影システムであって、
前記Ｘ線センサユニットに向けてＸ線を照射するＸ線発生部と、
前記Ｘ線センサユニットおよび前記Ｘ線発生部を制御する撮影制御部と、
前記Ｘ線センサユニットの機能を制御するためのドライバモジュールを、外部ネットワークから受信するドライバモジュール受信部と、
前記ドライバモジュール受信部によって受信された前記ドライバモジュールを用いて、前記撮影制御部を更新する撮影制御部更新部と、
を備えることを特徴とするＸ線撮影システム。
【請求項４】
前記外部ネットワークを検索して、最新のドライバモジュールを見つけだすドライバモジュール検索部を備え、
前記ドライバモジュール受信部は、前記ドライバモジュール検索部によって見つかったドライバモジュールを、前記外部ネットワークからダウンロードし、
前記撮影制御部更新部は、前記ドライバモジュール受信部によって受信されたドライバモジュールを前記撮影制御部に組み込み更新する
ことを特徴とする請求項３に記載のＸ線撮影システム。
【請求項５】
前記ドライバモジュール検索部は、前記外部ネットワークだけではなく、接続された前記Ｘ線センサユニット内部においても、ドライバモジュールを検索することを特徴とする請求項４に記載のＸ線撮影システム。
【請求項６】
前記Ｘ線センサユニットを無線接続することを特徴とする請求項１乃至５の何れか１項に記載のＸ線撮影システム。
【請求項７】
Ｘ線センサユニットを交換可能に接続するＸ線撮影制御装置であって、
前記Ｘ線センサユニットを制御する撮影制御部と、
前記Ｘ線センサユニットからセンサユニット情報を受信するセンサユニット情報受信部と、
前記センサユニット情報受信部によって受信された前記センサユニット情報に基づき前記撮影制御部の制御パラメータを設定する制御パラメータ設定部と、
を備えることを特徴とするＸ線撮影制御装置。
【請求項８】
Ｘ線センサユニットを交換可能に接続するＸ線撮影制御装置であって、
前記Ｘ線センサユニットを制御する撮影制御部と、
前記Ｘ線センサユニット内に配置され、前記Ｘ線センサユニットの機能を制御するためのドライバモジュールを、前記Ｘ線センサユニットから受信するドライバモジュール受信部と、
前記ドライバモジュール受信部によって受信された前記ドライバモジュールを用いて、前記撮影制御部を更新する撮影制御部更新部と、
を備えることを特徴とするＸ線撮影制御装置。
【請求項９】
Ｘ線センサユニットを交換可能に接続するＸ線撮影制御装置であって、
前記Ｘ線センサユニットを制御する撮影制御部と、
前記Ｘ線センサユニットの機能を制御するためのドライバモジュールを、外部ネットワークから受信するドライバモジュール受信部と、
前記ドライバモジュール受信部によって受信された前記ドライバモジュールを用いて、前記撮影制御部を更新する撮影制御部更新部と、
を備えることを特徴とするＸ線撮影制御装置。
【請求項１０】
Ｘ線センサユニットを交換可能に接続するＸ線撮影システムの制御方法であって、
接続された前記Ｘ線センサユニットからセンサユニット情報を受信するセンサユニット情報受信ステップと、
前記センサユニット情報受信ステップによって受信された前記センサユニット情報に基づき前記Ｘ線撮影システムの撮影制御部の制御パラメータを設定する制御パラメータ設定ステップと、
を備えることを特徴とするＸ線撮影システムの制御方法。
【請求項１１】
Ｘ線センサユニットを交換可能に接続するＸ線撮影システムの制御方法であって、
前記Ｘ線センサユニットの機能を制御するためのドライバモジュールを、前記Ｘ線センサユニットから受信するドライバモジュール受信ステップと、
前記ドライバモジュール受信ステップで受信された前記ドライバモジュールを用いて、前記Ｘ線撮影システムの撮影制御部を更新する撮影制御部更新ステップと、
を備えることを特徴とするＸ線撮影システムの制御方法。
【請求項１２】
Ｘ線センサユニットを交換可能に接続するＸ線撮影システムの制御方法であって、
前記Ｘ線センサユニットの機能を制御するためのドライバモジュールを、外部ネットワークから受信するドライバモジュール受信ステップと、
前記ドライバモジュール受信ステップによって受信された前記ドライバモジュールを用いて、前記Ｘ線撮影システムの撮影制御部を更新する撮影制御部更新ステップと、
を備えることを特徴とするＸ線撮影システムの制御方法。
【請求項１３】
Ｘ線センサユニットを交換可能に接続するＸ線撮影システムの制御プログラムであって、
接続された前記Ｘ線センサユニットからセンサユニット情報を受信するセンサユニット情報受信ステップと、
前記センサユニット情報受信ステップによって受信された前記センサユニット情報に基づき前記Ｘ線撮影システムの撮影制御部の制御パラメータを設定する制御パラメータ設定ステップと、
をＸ線撮影システムに実行させることを特徴とする制御プログラム。
【請求項１４】
Ｘ線センサユニットを交換可能に接続するＸ線撮影システムの制御プログラムであって、
前記Ｘ線センサユニットの機能を制御するためのドライバモジュールを、前記Ｘ線センサユニットから受信するドライバモジュール受信ステップと、
前記ドライバモジュール受信ステップで受信された前記ドライバモジュールを用いて、前記Ｘ線撮影システムの撮影制御部を更新する撮影制御部更新ステップと、
をＸ線撮影システムに実行させることを特徴とする制御プログラム。
【請求項１５】
Ｘ線センサユニットを交換可能に接続するＸ線撮影システムの制御プログラムであって、
前記Ｘ線センサユニットの機能を制御するためのドライバモジュールを、外部ネットワークから受信するドライバモジュール受信ステップと、
前記ドライバモジュール受信ステップによって受信された前記ドライバモジュールを用いて、前記Ｘ線撮影システムの撮影制御部を更新する撮影制御部更新ステップと、
をＸ線撮影システムに実行させることを特徴とする制御プログラム。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
リングネットワークを形成する通信装置を接続するリングインタフェースと、
ユーザ端末もしくはリングネットワークを形成しない他の通信装置を接続するユーザインタフェースと、
各インタフェースから入力したフレームをヘッダ情報に応じて所望の出力先へと転送するスイッチ手段と、を有する通信装置がリング状に接続され、伝送方向が反対で互いに対をなす第１、第２のリングネットワークを形成するネットワークシステムにおいて、
マルチキャストデータを転送するマルチキャストフロー毎に前記第１のリングネットワーク上にマルチポイント論理パスの現用系パス、前記第２のリングネットワーク上にマルチポイント論理パスの予備系パスを形成し、
前記現用系パスと予備系パスのマルチポイント論理パスはそれぞれ、リング内のマルチキャスト送信端通信装置のユーザインタフェースを始点とし、リングネットワークを構成する各通信装置で前記マルチキャストデータを受信するユーザを接続するマルチキャスト受信端通信装置のユーザインタフェースを第１の終端点とするパスと、さらにリングネットワークを構成する通信装置を経由して前記マルチキャスト送信端通信装置のユーザインタフェースを第２終端点とするパスを含み、
前記マルチキャスト送信端通信装置のユーザインタフェースからパス正常性確認フレームを挿入し、前記マルチキャスト送信端通信装置のユーザインタフェースで終端することを特徴とするネットワークシステム。
【請求項２】
請求項１記載のネットワークシステムであって、
前記第１または第２のリングネットワークの伝送路で障害を検出した通信装置は、前方障害通知フレームを、前記障害が発生したリングネットワーク上に形成されるマルチポイント論理パスに送信し、前記前方障害通知フレームは、前記リングネットワークを形成する通信装置を順次経由してマルチポイント論理パスの第２の終端点である前記マルチキャスト送信端通信装置のユーザインタフェースまで転送されることを特徴とするネットワークシステム。
【請求項３】
請求項１記載のネットワークシステムであって、
何れかの前記マルチキャスト受信端通信装置のユーザインタフェースで障害が発生した
場合、前記マルチキャスト受信端通信装置は、前記障害が発生したリングネットワーク上に形成されるマルチポイント論理パスに後方障害通知フレームを送信し、前記後方障害通知フレームは、前記リングネットワークを形成する通信装置を順次経由して前記マルチポイント論理パスの第２の終端点としての前記マルチキャスト送信端通信装置のユーザインタフェースまで転送されることを特徴とするネットワークシステム。
【請求項４】
請求項１記載のネットワークシステムであって、
前記第２の終端点としての前記マルチキャスト送信端通信装置のユーザインタフェース
が一定期間前記パス正常性確認フレームを未受信であることを検出することで前記マルチポイント論理パスに障害が発生したと判断することを特徴とするネットワークシステム。
【請求項５】
請求項２記載のネットワークシステムであって、
前記障害検出時に、前記前方障害通知フレームが現用系パスから送信されたものか、予
備系パスから送信されたものかを前記マルチキャスト送信端通信装置が判定し、現用系パ
スから送信されてきた場合は前記マルチポイント論理パスを現用系パスから予備系に切替
えてマルチキャストフレームの転送を行い、前記前方障害通知フレームが予備系パスから
送信されてきた場合は現用系パスで継続してマルチキャストフレームを転送することを特徴とするネットワークシステム。
【請求項６】
請求項２記載のネットワークシステムであって、
前記障害検出時に、前記前方障害通知フレームが現用系パスから送信されたものか、予
備系パスから送信されたものかを前記マルチキャスト送信端通信装置が判定し、
前記前方障害通知フレームが現用系パスと予備系パスの双方から送信されてきた場合はマルチキャストフレームを前記マルチキャスト送信端通信装置でコピーして現用系パスと予備系パスの両方に転送することを特徴とするネットワークシステム。
【請求項７】
請求項５記載のネットワークシステムであって、
前記障害検出時に、前記前方障害通知フレームが前記マルチキャスト受信端通信装置の
ユーザインタフェースから送信されたものであることを前記マルチキャスト送信端通信装
置が判定し、マルチポイント論理パスの切り替えを行わないことを特徴とするネットワー
クシステム。
【請求項８】
請求項４記載のネットワークシステムであって、
マルチキャスト送信端通信装置が前記障害検出時に、現用系パスのマルチポイント論理
パスに障害が発生した場合は前記マルチポイント論理パスを現用系パスから予備系に切替
えてマルチキャストフレームの転送を行い、予備系パスのマルチポイント論理パスに障害
が発生した場合は現用系パスで継続してマルチキャストフレームを転送し、現用系パスと
予備系パスの双方に障害が発生した場合はマルチキャストフレームを前記マルチキャスト
送信端通信装置でコピーして現用系パスと予備系パスの両方に転送することを特徴とする
ネットワークシステム。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
被写体からの光を電気信号に変換する撮像手段と、
前記撮像手段の前方に該撮像手段と間隔を置いて配置されている光学部材と、
前記撮像手段と前記光学部材との間に形成された空間を外部と遮断するための封止手段とを備え、
前記光学部材は、透過性を有する圧電部材から構成され、前記光学部材の前記被写体側の面上には、駆動電圧の印加により、該光学部材の前記被写体側の面上に表面弾性波を励振させるための電極が形成されていることを特徴とする撮像装置。
【請求項２】
前記電極に駆動電圧を印加する駆動電圧印加手段を備えることを特徴とする請求項１に記載の撮像装置。
【請求項３】
前記電極は、櫛形電極であることを特徴とする請求項１または２に記載の撮像装置。
【請求項４】
前記封止手段により外部と遮断された前記光学部材と前記撮像手段との間の空間内に配置され、予め定められた帯域の光成分の透過を制限する光学フィルタを備えることを特徴とする請求項１ないし３のいずれか１つに記載の撮像装置。
【請求項５】
前記光学部材は、予め定められた帯域の空間周波数成分の通過を制限するフィルタ特性を有する圧電部材から構成されていることを特徴とする請求項１ないし３のいずれか１つに記載の撮像装置。
【請求項６】
被写体からの光を透過するカバー部材を有し、外部と遮断されている収容空間を構成する基体と、
前記基体の収容空間に収容され、前記カバー部材を透過した光を電気信号に変換する撮像素子とを備え、
前記カバー部材は、透過性を有する圧電部材から構成され、前記カバー部材の前記被写体側の面上には、駆動電圧の印加により、該カバー部材の前記被写体側の面上に表面弾性波を励振させるための電極が形成されていることを特徴とする撮像装置。
【請求項７】
前記電極に駆動電圧を印加する駆動電圧印加手段を備えることを特徴とする請求項６に記載の撮像装置。
【請求項８】
前記電極は、櫛形電極であることを特徴とする請求項６または７に記載の撮像装置。
【請求項９】
前記カバー部材は、予め定められた帯域の空間周波数成分の透過を制限するフィルタ特性を有する圧電部材から構成されていることを特徴とする請求項６ないし８のいずれか１つに記載の撮像装置。
【請求項１０】
被写体からの光を透過するカバー部材を有し、外部と遮断されている収容空間を構成する基体と、
前記基体の収容空間に収容され、前記カバー部材を透過した光を電気信号に変換する撮像素子と、
圧電性を有し、前記カバー部材の前記被写体側の面上に貼り付けられる光学部材と、
前記光学部材の前記被写体側の面上に形成され、駆動電圧の印加により、該光学部材の前記被写体側の面上に表面弾性波を励振させるための電極と
を備えることを特徴とする撮像装置。
【請求項１１】
前記電極に駆動電圧を印加する駆動電圧印加手段を備えることを特徴とする請求項１０
に記載の撮像装置。
【請求項１２】
前記電極は、櫛形電極であることを特徴とする請求項１０または１１に記載の撮像装置。
【請求項１３】
前記光学部材は、予め定められた帯域の空間周波数成分の透過を制限するフィルタ特性を有する圧電部材から構成されていることを特徴とする請求項１０ないし１２のいずれか１つに記載の撮像装置。
【手続補正２】
【補正対象書類名】明細書
【補正対象項目名】００１１
【補正方法】変更
【補正の内容】
【００１１】
本発明は、上記目的を達成するため、被写体からの光を透過するカバー部材を有し、外部と遮断されている収容空間を構成する基体と、前記基体の収容空間に収容され、前記カバー部材を透過した光を電気信号に変換する撮像素子と、圧電性を有し、前記カバー部材の前記被写体側の面上に貼り付けられる光学部材と、前記光学部材の前記被写体側の面上に形成され、駆動電圧の印加により、該光学部材の前記被写体側の面上に表面弾性波を励振させるための電極とを備えることを特徴とする撮像装置を提供する。
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
ユーザによる指示に応じて時間の計測を開始する計時手段と、
コンテンツの映像が表示される映像表示領域を含むウインドウに重ねて他のウインドウが表示されている状態で、前記計時手段により計測された時間が、選択可能な時間の一覧からユーザにより選択された所定の時間になったとき、前記計時手段による時間の計測が開始されたときに受信していたチャンネルを受信し、前記映像表示領域を含むウインドウを前記他のウインドウに重ねて表示させて、受信したチャンネルで提供されるコンテンツを再生させる再生制御手段と
を備える再生制御装置。
【請求項２】
ユーザによる指示に応じて時間の計測を開始し、
コンテンツの映像が表示される映像表示領域を含むウインドウに重ねて他のウインドウが表示されている状態で、計測した時間が、選択可能な時間の一覧からユーザにより選択された所定の時間になったとき、時間の計測が開始されたときに受信していたチャンネルを受信し、前記映像表示領域を含むウインドウを前記他のウインドウに重ねて表示させて、受信したチャンネルで提供されるコンテンツを再生させる
ステップを含む再生制御方法。
【請求項３】
ユーザによる指示に応じて時間の計測を開始し、
コンテンツの映像が表示される映像表示領域を含むウインドウに重ねて他のウインドウが表示されている状態で、計測した時間が、選択可能な時間の一覧からユーザにより選択された所定の時間になったとき、時間の計測が開始されたときに受信していたチャンネルを受信し、前記映像表示領域を含むウインドウを前記他のウインドウに重ねて表示させて、受信したチャンネルで提供されるコンテンツを再生させる
ステップを含む処理をコンピュータに実行させるプログラム。
【手続補正２】
【補正対象書類名】明細書
【補正対象項目名】０００９
【補正方法】変更
【補正の内容】
【０００９】
本発明の一側面の再生制御装置は、ユーザによる指示に応じて時間の計測を開始する計時手段と、コンテンツの映像が表示される映像表示領域を含むウインドウに重ねて他のウインドウが表示されている状態で、前記計時手段により計測された時間が、選択可能な時間の一覧からユーザにより選択された所定の時間になったとき、前記計時手段による時間の計測が開始されたときに受信していたチャンネルを受信し、前記映像表示領域を含むウインドウを前記他のウインドウに重ねて表示させて、受信したチャンネルで提供されるコンテンツを再生させる再生制御手段とを備える。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本発明の一側面の再生制御方法またはプログラムは、ユーザによる指示に応じて時間の計測を開始し、コンテンツの映像が表示される映像表示領域を含むウインドウに重ねて他のウインドウが表示されている状態で、計測した時間が、選択可能な時間の一覧からユーザにより選択された所定の時間になったとき、時間の計測が開始されたときに受信していたチャンネルを受信し、前記映像表示領域を含むウインドウを前記他のウインドウに重ねて表示させて、受信したチャンネルで提供されるコンテンツを再生させるステップを含む。
【手続補正６】
【補正対象書類名】明細書
【補正対象項目名】００１３
【補正方法】変更
【補正の内容】
【００１３】
本発明の一側面においては、ユーザによる指示に応じて時間の計測が開始され、コンテンツの映像が表示される映像表示領域を含むウインドウに重ねて他のウインドウが表示されている状態で、計測された時間が、選択可能な時間の一覧からユーザにより選択された所定の時間になったとき、時間の計測が開始されたときに受信されていたチャンネルが受信され、映像表示領域を含むウインドウが他のウインドウに重ねて表示されて、受信されたチャンネルで提供されるコンテンツが再生される。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
複数の画素ラインを有する撮像素子と、
前記撮像素子への光路を開放するための先幕と前記光路を遮蔽するための後幕とを有するシャッターと、
前記先幕と後幕の走行特性を検出する検出手段と、
前記検出手段により検出された前記先幕及び後幕の走行特性の時間差分を記憶する記憶手段と、
前記各画素ラインに対して、前記先幕により光路が開放されてから前記記憶手段に記憶されている前記時間差分だけ遅れてリセットを行うリセット手段と、
前記各画素ラインに対して、リセットされてから設定された露光時間だけ遅れて前記後幕により光路を遮蔽させる後幕駆動手段と、
を具備することを特徴とする撮像装置。
【請求項２】
前記先幕の走行速度は、前記後幕の走行速度より遅いことを特徴とする請求項１に記載の撮像装置。
【請求項３】
複数の画素ラインを有する撮像素子と、前記撮像素子への光路を開放するための先幕と前記光路を遮蔽するための後幕とを有するシャッターと、前記先幕と後幕の走行特性を検出する検出手段とを備える撮像装置の制御方法であって、
前記検出手段により検出された前記先幕及び後幕の走行特性の時間差分を記憶する記憶工程と、
前記各画素ラインに対して、前記先幕により光路が開放されてから前記記憶工程において記憶された前記時間差分だけ遅れてリセットを行うリセット工程と、
前記各画素ラインに対して、リセットされてから設定された露光時間だけ遅れて前記後幕により光路を遮蔽させる後幕駆動工程と、
を具備することを特徴とする撮像装置の制御方法。
【請求項４】
前記先幕の走行速度は、前記後幕の走行速度より遅いことを特徴とする請求項３に記載の撮像装置の制御方法。
【手続補正２】
【補正対象書類名】明細書
【補正対象項目名】０００７
【補正方法】変更
【補正の内容】
【０００７】
上述した課題を解決し、目的を達成するために、本発明に係わる撮像装置は、複数の画素ラインを有する撮像素子と、前記撮像素子への光路を開放するための先幕と前記光路を遮蔽するための後幕とを有するシャッターと、前記先幕と後幕の走行特性を検出する検出手段と、前記検出手段により検出された前記先幕及び後幕の走行特性の時間差分を記憶する記憶手段と、前記各画素ラインに対して、前記先幕により光路が開放されてから前記記憶手段に記憶されている前記時間差分だけ遅れてリセットを行うリセット手段と、前記各画素ラインに対して、リセットされてから設定された露光時間だけ遅れて前記後幕により光路を遮蔽させる後幕駆動手段と、を具備することを特徴とする。
【手続補正３】
【補正対象書類名】明細書
【補正対象項目名】０００８
【補正方法】変更
【補正の内容】
【０００８】
また、本発明に係わる撮像装置の制御方法は、複数の画素ラインを有する撮像素子と、前記撮像素子への光路を開放するための先幕と前記光路を遮蔽するための後幕とを有するシャッターと、前記先幕と後幕の走行特性を検出する検出手段とを備える撮像装置の制御方法であって、前記検出手段により検出された前記先幕及び後幕の走行特性の時間差分を記憶する記憶工程と、前記各画素ラインに対して、前記先幕により光路が開放されてから前記記憶工程において記憶された前記時間差分だけ遅れてリセットを行うリセット工程と、前記各画素ラインに対して、リセットされてから設定された露光時間だけ遅れて前記後幕により光路を遮蔽させる後幕駆動工程と、を具備することを特徴とする。
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
表示状態を変化させることが可能な複数の可変表示体からなる可変表示装置と、
遊技媒体としての遊技球を所定個数分だけまとめて遊技価値の１単位とする遊技価値計数手段と、
前記遊技価値計数手段により所定個数分だけまとめられた遊技価値の１単位を１回のゲームに必要な最小掛け数として、１回のゲームに対して掛け数を決定する掛け数決定手段と、
前記掛け数決定手段により掛け数が決定された状態で前記可変表示体による表示状態の変化を開始させる始動操作を受け付ける始動操作受付手段と、
遊技の進行を制御するとともに遊技の進行状況に応じた制御情報を送信する遊技制御手段と、
１回のゲームごとに予め決められた複数の当選役及びハズレ役の中からいずれかを選び出す抽選を行う内部抽選手段と、
前記始動操作受付手段によりゲームの始動操作が受け付けられると、前記内部抽選手段による抽選を実行させて、その抽選の結果を決定する抽選結果決定手段と、
前記始動操作受付手段によりゲームの始動操作が受け付けられると、前記可変表示装置の作動を開始させる可変表示開始手段と、
前記複数の可変表示体の作動を個々に停止させるための停止操作を受け付ける停止操作受付手段と、
前記停止操作受付手段により停止操作が受け付けられると、前記可変表示装置の作動を停止させて前記可変表示装置の表示結果を導出する表示結果導出手段と、
前記表示結果導出手段により導出される表示結果と前記抽選結果決定手段により決定された内部抽選の抽選結果とを照合する判定を行うゲーム結果判定手段と、
前記複数の当選役として当該ゲームにて規定数の遊技価値が付与される遊技特典に対応する小役、改めて遊技価値を掛けることなく当該ゲームの掛け数が次回のゲームに持ち越される遊技特典に対応する再遊技役、複数のゲーム期間にわたり遊技価値の付与機会を増加させる遊技特典に対応する特賞役、次回のゲームのみ遊技価値の付与機会を増加させる遊技特典に対応する特定役、遊技価値の１単位に満たない特定個数分の遊技球が付与される遊技特典に対応する稀有小役の少なくとも５種類の当選役を予め定める当選役規定手段と、
前記当選役規定手段により定められる複数の当選役のうち、少なくとも前記特賞役を除く当選役に対応する表示結果を類似した態様とする表示結果対応手段と、
前記ゲーム結果判定手段による当該ゲームの判定結果に応じて、前記複数の当選役及びハズレ役のいずれかの遊技特典を付与する遊技特典付与手段と、
前記抽選結果決定手段により前記内部抽選の抽選結果として前記特賞役が決定された当該ゲームの表示結果が前記特賞役と合致しなかった場合、前記特賞役に対応する遊技特典を次回のゲーム以降に引き継ぐ特賞役遊技特典引継ぎ手段と、
前記特賞役遊技特典引継ぎ手段により前記特賞役に対応する遊技特典が引き継がれている当該ゲームにおいては前記内部抽選の抽選結果を前記特賞役除く当選役及びハズレ役のいずれかに決定する特別抽選結果決定手段と、
前記当選役規定手段により予め定められる前記特賞役として、前記特賞役の遊技特典のみを包含する専有特賞役と、前記特賞役の遊技特典に加えてその他の当選役の遊技特典をも包含する共有特賞役とをそれぞれ別に定める特賞役規定手段と、
前記抽選結果決定手段により前記内部抽選の抽選結果として前記共有特賞役を除くその他の当選役のいずれかが決定された場合、その決定された当選役に対応する表示結果を前記可変表示装置に導出させることを許容する表示結果許容手段と、
前記抽選結果決定手段により前記内部抽選の抽選結果として前記共有特賞役が決定された場合、前記共有特賞役の遊技特典に包含される前記特賞役に対応する表示結果及び前記共有特賞役の遊技特典に包含される前記その他の当選役に対応する表示結果のいずれをも前記可変表示装置に導出させることを許容する双方表示結果許容手段と、
前記双方表示結果許容手段により前記可変表示装置に前記特賞役及び前記その他の当選役に対応する表示結果のいずれをも導出させることが許容された場合、前記特賞役に対応する表示結果を前記その他の当選役に対応する表示結果に優先して表示させようとする前記可変表示体の制御を行いつつ、前記特賞役及び前記その他の当選役に対応する表示結果の双方とも前記可変表示装置に表示させることの可能な前記可変表示体の制御を行う双方表示制御手段と、
前記特賞役遊技特典引継ぎ手段により前記特賞役に対応する遊技特典が引き継がれている当該ゲームにおける前記内部抽選の抽選結果として特賞役を除くその他の当選役のいずれかに決定された場合、前記その他の当選役及び前記特賞役に対応する表示結果のいずれをも前記可変表示装置に表示させることの可能な前記双方表示制御手段に準じた前記可変表示体の制御を行う準双方表示制御手段と、
前記双方表示結果許容手段により前記可変表示装置に前記特賞役及び前記その他の当選役に対応する表示結果のいずれをも導出させることが許容された場合、前記特賞役及び前記その他の当選役のいずれか一方に対応する表示結果を前記可変表示装置に表示させることの可能な前記可変表示体の制御を行う単方表示制御手段と、
前記双方表示制御手段から前記単方表示制御手段に前記可変表示体の制御を切り替える表示制御切替手段とを具備したことを特徴とする遊技機。
【請求項２】
前記準双方表示制御手段が、前記特賞役に対応する表示結果を前記その他の当選役に対応する表示結果に優先して表示させようとする前記可変表示体の制御を行う 請求項１に記載の遊技機。
【請求項３】
前記表示制御切替手段が、遊技者による前記個々の可変表示体の停止操作が受け付けられるごとにその切り替えを行うか否かを決定する 請求項１に記載の遊技機。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面に形成された遊技盤と、
前記遊技盤に設けられた複数種類の入賞口と、
前記遊技盤の略中央に設けられて所定の演出画像を認識可能な表示領域が前面に形成された表示体を複数有する演出表示手段と、
前記複数種類の入賞口のうち予め定められた始動口に遊技球が入賞したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により前記利益付与状態に制御するときに前記演出表示手段にて特定の演出結果を表示する遊技機において、
前記演出表示手段に演出画像を表示制御する画像表示制御手段と、
擬似的に単一の表示領域となる擬似単一表示領域を形成するべく各々の表示領域を密に隣接させた前記複数の表示体を、駆動手段により当該表示領域の水平方向に対して所定の間隔離れた離散位置に駆動制御する駆動制御手段と、
前記複数の表示体の後方に設けられ、前記離散位置にて前記複数の表示体の間隙を通じて前面側から遊技者に視認可能に出現させる演出部材と、を備え、
前記画像表示制御手段は、
前記擬似単一表示領域にて演出画像を表示制御する複合表示制御手段と、
前記駆動制御手段により前記複数の表示体を特定の離散位置に駆動制御したときに、前記複合表示制御手段による演出画像の表示制御を、前記複数の表示体の各々に形成された単一の表示領域にて前記演出部材と相関する演出画像に切替える画像切替表示制御手段と、を含むことを特徴とする遊技機。
【請求項２】
前記複合表示制御手段は、前記擬似単一表示領域にて前記当落判定手段の判定結果にもとづく所定の図柄情報の変動表示を表示制御する図柄情報制御手段を含むことを特徴とする請求項１記載の遊技機。
【請求項３】
前記図柄情報制御手段は、前記画像切替表示制御手段による演出画像の切替に伴って、前記複数の表示体の各々に形成された表示領域のいずれか一方の一部分にて前記図柄情報の変動表示を表示制御することを特徴とする請求項２記載の遊技機。
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
表示状態を変化させることが可能な複数の可変表示体からなる可変表示装置と、
１回のゲームごとに遊技価値の掛け数を決定する掛け数決定手段と、
前記掛け数決定手段により掛け数が決定された状態で前記可変表示体による表示状態の変化を開始させる始動操作を受け付ける始動操作受付手段と、
前記掛け数決定手段により掛け数が決定された状態で前記可変表示体による表示状態の変化を開始させる始動操作を受け付ける始動操作受付手段と、
１回のゲームごとに予め決められた複数の当選役及びハズレ役の中からいずれかを選び出す抽選を行う内部抽選手段と、
前記始動操作受付手段によりゲームの始動操作が受け付けられると、前記内部抽選手段による抽選を実行させて、その抽選の結果を決定する抽選結果決定手段と、
前記始動操作受付手段によりゲームの始動操作が受け付けられると、前記可変表示装置の作動を開始させる可変表示開始手段と、
前記複数の可変表示体の作動を個々に停止させるための停止操作を受け付ける停止操作受付手段と、
前記停止操作受付手段により停止操作が受け付けられると、前記可変表示装置の作動を停止させて前記可変表示装置の表示結果を導出する表示結果導出手段と、
前記表示結果導出手段により導出される表示結果と前記抽選結果決定手段により決定された内部抽選の抽選結果とを照合する判定を行うゲーム結果判定手段と、
前記複数の当選役として当該ゲームにて規定数の遊技価値が付与される遊技特典に対応する小役、改めて遊技価値を掛けることなく当該ゲームの掛け数が次回のゲームに持ち越される遊技特典に対応する再遊技役、複数のゲーム期間にわたり遊技価値の付与機会を増加させる遊技特典に対応する特賞役、次回のゲームのみ遊技価値の付与機会を増加させる遊技特典に対応する特定役の少なくとも４種類の当選役を予め定める当選役規定手段と、
前記当選役規定手段により定められる複数の当選役のうち、少なくとも前記特賞役を除く当選役に対応する表示結果を類似した態様とする表示結果対応手段と、
前記ゲーム結果判定手段による当該ゲームの判定結果に応じて、前記複数の当選役及びハズレ役のいずれかの遊技特典を付与する遊技特典付与手段と、
前記当選役規定手段により予め定められる前記特賞役として、前記特賞役の遊技特典のみを包含する専有特賞役と、前記特賞役の遊技特典に加えてその他の当選役の遊技特典をも包含する共有特賞役とをそれぞれ別に定める特賞役規定手段と、
前記抽選結果決定手段により前記内部抽選の抽選結果として前記共有特賞役を除くその他の当選役のいずれかが決定された場合、その決定された当選役に対応する表示結果を前記可変表示装置に導出させることを許容する表示結果許容手段と、
前記抽選結果決定手段により前記内部抽選の抽選結果として前記共有特賞役が決定された場合、前記共有特賞役の遊技特典に包含される前記特賞役に対応する表示結果及び前記共有特賞役の遊技特典に包含される前記その他の当選役に対応する表示結果のいずれをも前記可変表示装置に導出させることを許容する双方表示結果許容手段と、
前記双方表示結果許容手段により前記可変表示装置に前記特賞役及び前記その他の当選役に対応する表示結果のいずれをも導出させることが許容された場合、前記特賞役及び前記その他の当選役に対応する表示結果の双方とも前記可変表示装置に表示させることの可能な前記可変表示体の制御を行う双方表示制御手段と、
前記双方表示結果許容手段により前記可変表示装置に前記特賞役及び前記その他の当選役に対応する表示結果のいずれをも導出させることが許容された場合、前記特賞役及び前記その他の当選役のいずれか一方に対応する表示結果を前記可変表示装置に表示させることの可能な前記可変表示体の制御を行う単方表示制御手段と、
前記双方表示制御手段から前記単方表示制御手段に前記可変表示体の制御を切り替える表示制御切替手段とを具備したことを特徴とする遊技機。
【請求項２】
前記表示結果対応手段が、前記ハズレ役を、少なくとも前記特賞役を除く当選役に対応する表示結果と類似した態様とする 請求項１に記載の遊技機。
【請求項３】
前記可変表示装置が、周方向に図柄帯の付された可変表示体を複数備え、前記可変表示体を回転または停止させて表示状態を変化させる 請求項１または２に記載の遊技機。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
表示画面上にて絵柄を変動表示する絵柄表示装置と、
遊技を統括管理する主制御手段と、
該主制御手段の配下で前記絵柄表示装置を表示制御する表示制御手段と
を備え、
前記主制御手段は、
所定の判定を行う判定手段と、
絵柄の変動表示を最終停止表示させるまでの変動表示時間を決定する変動表示時間決定手段と、
前記判定手段の判定結果が第１結果又は第２結果であって前記変動表示時間決定手段の決定した変動表示時間を経過した場合、遊技状態を通常遊技状態より遊技者に有利な特別遊技状態に移行させる特別遊技状態移行手段と、
前記判定手段の判定結果が前記第１結果である場合、前記特別遊技状態の終了後に、前記判定手段の判定結果が前記第２結果である場合より遊技者に有利な特定遊技状態に移行させる特定遊技状態移行手段と
を備え、
前記表示制御手段は、前記変動表示時間決定手段の決定した変動表示時間内で絵柄の変動表示を終了させるように、且つ、前記判定手段の判定結果が前記第１結果である場合には特定絵柄を最終停止表示させ、前記判定手段の判定結果が前記第２結果である場合には非特定絵柄を最終停止表示させるように、前記絵柄表示装置を表示制御する遊技機において、
前記表示制御手段は、
前記判定手段の判定結果が前記第１結果である場合に、前記非特定絵柄を最終停止表示させることが可能か否かを、少なくとも前記変動表示時間決定手段の決定した変動表示時間に基づいて判断する判断手段と、
前記判断手段が可能であると判断した場合に、前記非特定絵柄を最終停止表示させるよう停止絵柄を決定する最終停止表示絵柄決定手段と
を備え、
前記主制御手段は、
前記判定手段の判定結果が前記第１結果の場合に、前記非特定絵柄が最終停止表示されるように前記変動表示時間を決定する第２変動表示時間決定手段と、
前記判定手段の判定結果が前記第１結果の場合に、いずれの変動表示時間決定手段に前記変動表示時間を決定させるかを選択する選択手段と
を備えることを特徴とする遊技機。
【請求項２】
表示画面上にて複数の絵柄列が所定の向きに循環表示されるように絵柄を変動表示する絵柄表示装置と、
遊技を統括管理する主制御手段と、
該主制御手段の配下で前記絵柄表示装置を表示制御する表示制御手段と
を備え、
前記主制御手段は、
所定の判定を行う判定手段と、
前記判定手段の判定結果に基づいて各絵柄列の停止絵柄を決定すると共に、前記判定手段の判定結果が第１結果である場合には特定絵柄の組み合わせが予め設定されている有効ラインに最終停止表示されるように、前記判定手段の判定結果が第２結果である場合には非特定絵柄の組み合わせが前記有効ラインに最終停止表示されるように、各絵柄列の停止絵柄を決定する停止絵柄決定手段と、
前記判定手段の判定結果に基づいて、前記各絵柄列を最終停止表示させるまでの変動表示時間を決定する変動表示時間決定手段と、
前記判定手段の判定結果が前記第１結果又は前記第２結果であって前記変動表示時間決定手段の決定した変動表示時間を経過した場合、遊技状態を通常遊技状態より遊技者に有利な特別遊技状態に移行させる特別遊技状態移行手段と、
前記判定手段の判定結果が前記第１結果である場合、前記特別遊技状態の終了後に、前記判定手段の判定結果が前記第２結果である場合より遊技者に有利な特定遊技状態に移行させる特定遊技状態移行手段と
を備え、
前記表示制御手段は、前記変動表示時間決定手段の決定した変動表示時間内で前記各絵柄列の変動表示を終了させるように、且つ前記変動表示時間の経過タイミングで前記停止絵柄決定手段の決定結果に基づいた停止絵柄を前記有効ラインに最終停止表示させるように前記絵柄表示装置を表示制御する遊技機において、
前記絵柄表示装置は前記有効ラインを複数有し、
前記表示制御手段は、
前記特定絵柄又は前記非特定絵柄の組み合わせを最終停止表示させる場合、前記有効ラインのいずれかに前記特定絵柄又は前記非特定絵柄の組み合わせを構成する待機絵柄が停止表示されるように１の規定絵柄列を除く他の絵柄列の変動表示を終了させ、前記待機絵柄の停止表示後に前記規定絵柄列の変動表示を終了させる待機変動表示を行わせるよう前記絵柄表示装置を表示制御する待機変動表示手段と、
前記停止絵柄決定手段の決定結果が、第１有効ラインに前記特定絵柄の組み合わせを最終停止表示させると共に第２有効ラインに前記規定絵柄列の非特定絵柄を最終停止表示させる決定結果である場合、前記第２有効ラインに前記非特定絵柄の組み合わせを最終停止表示させるよう前記待機絵柄を変更することが可能な待機絵柄変更手段と
を備え、
前記主制御手段は、
前記判定手段の判定結果が前記第１結果の場合に前記非特定絵柄の組み合わせが前記有効ラインのいずれかに最終停止表示されるように各絵柄列の停止絵柄を決定する第２停止絵柄決定手段と、
前記判定手段の判定結果が前記第１結果の場合にいずれの停止絵柄決定手段に前記各絵柄列の停止絵柄を決定させるかを選択する選択手段と
を備えることを特徴とする遊技機。
【請求項３】
前記第２停止絵柄決定手段は、前記規定絵柄列の特定絵柄を最終停止表示させた場合に前記規定絵柄列の非特定絵柄がいずれの有効ラインにも最終停止表示されない第３有効ラインに前記非特定絵柄の組み合わせが最終停止表示されるように各絵柄列の停止絵柄を決定することが可能であることを特徴とする請求項２に記載の遊技機。
【請求項４】
前記主制御手段は、前記停止絵柄決定手段の決定結果が、前記有効ラインのいずれかに前記特定絵柄の組み合わせを構成する特定待機絵柄を最終停止表示させると共に当該有効ラインに前記特定絵柄の組み合わせを最終停止表示させない決定結果である場合、前記非特定絵柄の組み合わせを構成する非特定待機絵柄を前記有効ラインのいずれかに最終停止表示させるように待機絵柄を変更することが可能な外れ待機絵柄変更手段を備えることを特徴とする請求項２又は３に記載の遊技機。
【請求項５】
前記絵柄表示装置は、前記特定絵柄と前記非特定絵柄をそれぞれ複数種類変動表示させるものであり、前記主制御手段は、前記停止絵柄決定手段が前記有効ラインのいずれかに前記特定待機絵柄を最終停止表示させると決定した場合の決定結果と、前記非特定待機絵柄を前記有効ラインのいずれかに最終停止表示させるよう待機絵柄を変更する場合の変更結果とを対応付けた主制御変更情報群を記憶する主制御変更情報群記憶手段を備え、前記外れ待機絵柄変更手段は前記主制御変更情報群に基づいて前記待機絵柄を変更することを特徴とする請求項４に記載の遊技機。
【請求項６】
前記外れ待機絵柄変更手段は、前記非特定待機絵柄を前記有効ラインのいずれかに最終停止表示させるよう前記待機絵柄を変更すると前記非特定絵柄の組み合わせが前記有効ラインのいずれかに最終停止表示される場合、前記待機絵柄を変更しないことを特徴とする請求項４又は５に記載の遊技機。
【請求項７】
前記絵柄表示装置は、前記第１有効ラインに前記特定絵柄が停止表示する場合には前記第２有効ラインに前記非特定絵柄が停止表示するように、前記規定絵柄列を前記表示画面に表示させることを特徴とする請求項２乃至６のいずれか１に記載の遊技機。